(57)【要約】【課題】  遊技媒体貸出機２０におけるゴト行為などに対する不正防止機能を持ちながら、さらに該遊技媒体貸出機２０の美観を高めることを目的とする。【解決手段】  遊技媒体貸出機２０前面に装着されるフロントパネル２２，２３，２４の前面を合成樹脂にて形成し、その裏面には金属板２９を密着させることにより、不正行為による外部からの破壊行為を防止するとともに、合成樹脂素材の利用による美しい外観と自由な形状設計が図られる。【選択図】  図５
2008119402.tif 000002
【特許請求の範囲】
【請求項１】
有価価値媒体の投入により遊技媒体の貸出しを行う遊技媒体貸出機において、
合成樹脂で形成した部材の裏側に金属製の板を密着させて形成したフロントパネルを前記遊技媒体貸出機本体の前面に設けたことを特徴とする遊技媒体貸出機。
【請求項２】
前記フロントパネルと隣接するフロントパネルまたは周辺部材との間に生じる間隙を遮蔽する金属製の部材を前記フロントパネルに設けたことを特徴とする請求項１記載の遊技媒体貸出機。  
【発明の詳細な説明】
【技術分野】
【０００１】
本発明は、遊技機に隣接して設けられて貨幣などの有価価値媒体の投入により遊技媒体の貸出しを行う遊技媒体貸出機に関し、特に貸出機本体の前面に設けられる合成樹脂製のフロントパネルを改良した遊技媒体貸出機に関する。
【背景技術】
【０００２】
近年、全国の遊技店に設置されたパチンコ台やスロット台などの遊技機において、特にスロット台では、装置の各所に生じている部材間の間隙（または、筐体に故意に開けた穴など）から針金などの細い金属棒を差し込み、スロット台の内部に設置されたメダルの払い出しを行うホッパー装置の誤作動を誘発させるなどといった手段で、不正に遊技媒体の払出しを行わせる「ゴト」と呼ばれる違法行為が増加している。
【０００３】
このような「ゴト」と呼ばれる不正行為は遊技機だけに留まらず、パチンコ玉やメダルなどの遊技媒体の貸出しを行う遊技媒体貸出機にまで被害が及んでいて、このような不正行為に対しては各遊技機メーカーや遊技店において様々な対策がなされてきている。
【０００４】
上記のような不正への対策手段として、従来技術においての遊技媒体貸出機は、外周を全て金属製の部材にすることにより（特許文献１参照）不正行為をするための貸出機内部への接触を断ってきた。また、遊技媒体貸出機の前面を、例えば合成樹脂製等の素材を用いて外観の自由度を高めたものも見受けられる（特許文献２参照）。
【０００５】
【特許文献１】特開２００４−３２１７０３号公報
【特許文献２】特開２００２−３３６４３３号公報
【発明の開示】
【発明が解決しようとする課題】
【０００６】
しかしながら、上記のような外周を金属製部材にした遊技媒体貸出機では、外見上の美観といったものには限界があった(前面部にシールを貼り付けたり、色を変えたりする程度)。また、例えば合成樹脂等の素材で前面を形成したものであれば、素材の強度が金属に比べて弱い為、不正行為に対する危険度が増してしまうといった懸念が生じていた。
【課題を解決するための手段】
【０００７】
本発明は以上のような課題に鑑みてなされたもので、請求項１に記載の発明は、有価価値媒体の投入により遊技媒体の貸出しを行う遊技媒体貸出機において、合成樹脂で形成した部材の裏側に金属製の板を密着させて形成したフロントパネルを前記遊技媒体貸出機本体の前面に設けたことを特徴とする遊技媒体貸出機である。
【０００８】
このように、合成樹脂で形成した部材の裏側に金属板を密着させた構造により、前面のフロントパネルに穴を開け、内部に異物を侵入させて、例えば誤作動による不当な遊技媒体の払出しを受けるといった不正行為を防止できると共に、合成樹脂の素材を生かし、美観を向上させることが可能になる。
【０００９】
請求項２に記載の発明は、前記フロントパネルと隣接するフロントパネルまたは周辺部材との間に生じる間隙を遮蔽する金属製の部材を前記フロントパネルに設けたことを特徴とする請求項１記載の遊技媒体貸出機である。
【００１０】
このように、フロントパネル間またはフロントパネルと隣接する部材の間に生じる間隙を遮蔽するように金属製の部材をフロントパネルに設けたことにより、間隙からの異物の侵入を防ぐことができ、不正行為を阻止することが可能になる。
【発明の効果】
【００１１】
上記のような構成の遊技媒体貸出機では、前面の合成樹脂製の部材の裏側に密着させた状態で金属板を取り付けてフロントパネルを形成すると共に、フロントパネル間またはフロントパネルと隣接する部材との間に生じる間隙を遮蔽するようにフロントパネルに金属部材を設けることによって貸出機に対する不正行為を防止できると同時に、前面の合成樹脂製フロントパネルの色彩や形状などの選択自由度を持たせることができるので、遊技店における不正防止対策と集客効果が期待できる。
【発明を実施するための最良の形態】
【００１２】
次に、本発明の最良な実施形態について図面を参照しながら具体的に説明していく。なお、本実施例では遊技機であるスロットマシンに用いられる遊技媒体であるメダルを貸出す遊技媒体貸出機であるメダル貸出機を例示して説明するが、パチンコ台の玉貸出機など各種遊技機で用いられる遊技媒体を貸出すいずれの構成にも適用することができる。（以下は全て、遊技機はスロットマシン、遊技媒体貸出機はメダル貸出機、遊技媒体はメダルと称す。）そして、図１はスロットマシンと、それに隣接させた本発明を適用したメダル貸出機の正面図、図２は図１に示すメダル貸出機の側面図、図３は紙幣識別ユニット収納パネルの裏面図、図４はメダル補給口パネルの側面図（開扉）、図５はメダル払出口パネルの裏面方向からの斜視図である。
【００１３】
図１に示すように、遊技を始めるにはスロットマシン１０に隣接して設置されたメダル貸出機２０から遊技者が投入した貨幣またはカードなどの有価価値媒体が持つ有価価値と引き換えにメダルの貸出しを行う。そして、貸出されたメダルをスロットマシン１０のメダル投入口１１から投入し、各スロットマシン１０に定められた入賞ラインのうち任意のラインを遊技者が指定した後スタートレバー１２を押下することにより、中が視認可能に形成されたリール表示部１３の奥に設置された３本のリールが回転を始める。遊技者はこの３本のリールの回転と対応するように設けられた３つのストップスイッチ１４を押圧することによりリールの回転を停め、各種リールに表示された絵柄が入賞ライン上に定められた絵柄通り並ぶと各絵柄の揃い方に対応した入賞が果たされ、スロットマシン１０下に設置された受け皿１５にメダルが払出されるというものである。
【００１４】
次に、図１および図２に示すように、メダル貸出機２０の前面はメダル補給口パネル２３、メダル払出口パネル２２、紙幣識別ユニット収納パネル２４の３つのフロントパネルによって閉塞されている。また、各フロントパネルの前面は合成樹脂素材で形成されたものであり、例えば立体にしたり、装飾を施したり、多彩な色を用いたりなど、外観の形状や色彩を変化させることが容易にできる。
【００１５】
メダル貸出機２０の下部に配設された紙幣識別ユニット収納パネル２４には紙幣投入口２７となる開口が設けられ、紙幣投入口２７より投入された紙幣は内部に備わる紙幣識別装置に受け入れられて金種と真偽とが判別される。そして、この紙幣識別装置にて貸出し可能な金種であり真券であると判断された場合には、紙幣識別装置の内部に形成された紙幣収納部２６に紙幣が収納される。また、紙幣識別装置にて受入れが拒絶された紙幣は、紙幣投入口２７から返却されることとなる。
【００１６】
紙幣識別ユニット収納パネル２４は施錠されており、回収するなどの理由で内部に収納された紙幣を取出す際は、対応した鍵を用いて取付けられた回転式錠３０を解錠する。解錠後は該パネル２４を上開きに前方に開放し、内部に取出し可能に設置された紙幣収納部２６を引出し、中に収納された紙幣を回収する。
【００１７】
図３に示すように、前記紙幣識別ユニット収納パネル２４の裏面側には金属板２９が取付けられており、該パネル２４の強度を向上させる効果を持つ。
【００１８】
メダル貸出機２０前面の上部には、メダルを内部貯留部へ補給するためのメダル補給口パネル２３が設けられていて、メダル貸出機２０内部のホッパータンク２５へメダルを補給する際には、補給口から手動にてメダルを投下する。なお、自動でメダルを補給する構造のものもあり、その際にはメダル貸出機２０の背面に開閉自在に加工された穿孔が設けられていて、そこから貯留センサと連動してスロットマシン１０島内から搬送されてきたメダルが補給される。メダル貸出機２０のメダル補給口パネル２３とメダル払出口パネル２２との間の内側部には滑降板が設けられており、補給口またはメダル貸出機２０背面の穿孔から投下されたメダルはこの滑降板を介してホッパータンク２５に貯留される。また、前記紙幣識別ユニット収納パネル２４と同様にメダル補給口パネル２３も施錠されており、開扉するには対応した鍵が必要となる。
【００１９】
図４に示すように、メダル補給口パネル２３の裏面と、パネル２３の裏面の左右側面からメダル貸出機２０内部に延伸するように金属板２９が取り付けられており、上述同様にメダル補給口パネル２３の強度を向上させる効果を持つ。特に本実施例においては、メダル貸出機２０の凹部に設けられたリセットスイッチが、メダル補給口パネル２３の閉扉時に回転式錠３０の舌状部によってこの凹部内に閉じ込められる為、メダル補給口パネル２３に穴を空けて針金や金属片などを用いてリセットスイッチを押下するといった不正行為を阻止することができる。
【００２０】
メダル補給口パネル２３の下端部には金属板２９に続いて凸型金属部材３１が設けられていており、メダル補給口パネル２３が閉じられたときに、下部のメダル払出口パネル２２の上端部に設けられた凹型金属部材３２と前記凸型金属部材３１とが係合することによって、両パネル間に生じる間隙を遮蔽する効果を有する。また、メダル補給口パネル２３が開扉されることによってはじめて払出口パネル２２の開扉が可能となるように凸型金属部材３１と凹型金属部材３２とを係合させているので、メダル補給口パネル２３の１つの施錠でメダル払出口パネル２２とメダル補給口パネル２３の両方の閉扉状態をロックすることができるという効果が得られる。
【００２１】
前記メダル補給口パネル２３の下側にはメダル払出口パネル２２が設けられており、内部にはメダルを貯留するホッパー装置が収容されている。このホッパー装置はメダル払出し機構の上部にホッパータンク２５を載置したもので、遊技者がメダルの貸出しを受ける際にはホッパータンク２５に貯留されているメダルからメダルの枚数を計数し、メダル貸出機２０の外部へ送り出す。なお、メダルの送出し形態はスロットマシン１０の下部の受け皿１５にメダルを送り出すタイプや、スロットマシン１０のメダル投入口１１に直接送り出すタイプ、送り出されたメダルを遊技者が手で受け取りスロットマシン１０のメダル投入口に投入するタイプなどがあるが、いずれの形態のスロットマシン１０にも適応することができる。
【００２２】
図５に示すように、メダル払出口パネル２２の裏面には金属板２９が密着して設けられており、前述同様にパネルの強度を向上させる効果を持つ。また、このメダル払出口パネル２２の裏面方向内方にはメダルの貯留・払い出しを行うホッパー装置が収納されるので、メダル払出口パネル２２の周囲の間隙から針金や金属片などを内部に侵入させて電気回路に対して接触を図り、誤作動による不当なメダルの払出しをするといったような不正行為が行われる可能性がある。このような不正行為を防ぐために、メダル払出口パネル２２の閉扉時において、メダル補給口パネル２３との間に生じる間隙を遮蔽するように、メダル払出口パネル２２の上端部に凹型金属部材３２を取り付け、前述のように、補給口パネル２３の下端部に設けた凸型金属部材３１と係合させることによって、両パネル間に生じる間隙を遮蔽するものである。なお、本実施の形態では、凸型金属部材３１と凹型金属部材３２とを係合させて間隙を遮蔽するようにしたが、これに限定されず、例えばフロントパネルから金属部材を周囲部材の方向に突設し、フロントパネルに隣接する周囲部材の金属部分とともに、フロントパネルと周囲部材との間隙を遮蔽するようにしてもよい。
【図面の簡単な説明】
【００２３】
【図１】スロットマシンと、それに隣接させた本発明のメダル貸出機の正面図。
【図２】図１に示すメダル貸出機の側面図。
【図３】紙幣識別ユニット収納パネルの裏面図。
【図４】補給口パネルの側面図（開扉時）。
【図５】メダル払出口パネルの裏面方向からの斜視図。
【符号の説明】
【００２４】
１０  遊技機（スロットマシン）
２０  メダル貸出機（遊技媒体貸出機）
２２  メダル払出口パネル（フロントパネル）
２３  メダル補給口パネル（フロントパネル）
２４  紙幣識別ユニット収納パネル（フロントパネル）
２５  ホッパータンク
２６  紙幣収納部
２７  紙幣投入口
２９  金属板
３０  回転式錠
３１  凸型金属部材
３２  凹型金属部材
【図１】
2008119402.tif 000003
【図２】
2008119402.tif 000004
【図３】
2008119402.tif 000005
【図４】
2008119402.tif 000006
【図５】
2008119402.tif 000007